(57)【要約】【課題】扉体を案内しながら好適に横移動させることができる横引きゲートを提供する。【解決手段】扉体１を横移動させてゲートの開閉を行なう横引きゲートＡにおいて、ゲートの開放時に扉体１を格納する凹部２ａを備えた一方の戸当り２がゲートの開放部Ｓを挟んで一方の側Ｓ１に設けられ、ゲートの閉鎖時に一方の戸当り２から横移動して出渠した扉体１の先端部１ｄが係合する凹部３ａを備えた他方の戸当り３がゲートの開放部Ｓを挟んで他方の側Ｓ２に設けられており、両戸当り２、３のうち少なくとも一方の戸当り２には、扉体１に当接してこれを支持するとともに、扉体１を案内して横移動させる複数のローラー部材２０が設けられている。【選択図】図１
2008150895.tif 000002
【特許請求の範囲】
【請求項１】
扉体を横移動させてゲートの開閉を行なう横引きゲートにおいて、
前記ゲートの開放時に前記扉体を格納する凹部を備えた一方の戸当りが前記ゲートの開放部を挟んで一方の側に設けられ、前記ゲートの閉鎖時に前記一方の戸当りから横移動して出渠した前記扉体の先端部が係合する凹部を備えた他方の戸当りが前記ゲートの開放部を挟んで他方の側に設けられており、
前記両戸当りのうち少なくとも前記一方の戸当りには、前記扉体に当接してこれを支持するとともに、前記扉体を案内して横移動させる複数のローラー部材が設けられていることを特徴とする横引きゲート。
【請求項２】
請求項１記載の横引きゲートにおいて、
前記両戸当りのうち少なくとも前記一方の戸当りには、前記ゲートの閉鎖時に水圧が作用する側に位置して前記凹部を形成する内面に、該内面に対向する前記扉体の一面に当接するように付勢されて前記扉体との隙間を埋める水密部材が設けられていることを特徴とする横引きゲート。
【発明の詳細な説明】
【技術分野】
【０００１】
本発明は、扉体を横移動させてゲートを開閉する横引きゲートに関する。
【背景技術】
【０００２】
従来、防波堤や防潮堤、水路の開閉を行なうゲートとして、略平盤状に形成された扉体を水平方向（横方向）に移動させてゲートの開放部を開閉する横引きゲートが用いられている。また、この種の横引きゲートは、一般に、ゲートの開放部を挟んで一方の側に設けられ、ゲートの開放時に扉体を格納する一方の戸当りと、ゲートの開放部を挟んで他方の側に設けられ、ゲートの閉鎖時に一方の戸当りから横移動して出渠した扉体の先端部が係合する他方の戸当りとを備えて構成されている。さらに、両戸当り間の開放部の底面に設けられたレールや戸溝によって、扉体を案内しながら横移動させている（例えば、特許文献１、特許文献２、特許文献３参照）。
【特許文献１】特開２００３−３０１４４２号公報
【特許文献２】特開平９−５９９６２号公報
【特許文献３】特開平９−５９９６３号公報
【発明の開示】
【発明が解決しようとする課題】
【０００３】
しかしながら、上記のように、扉体の横移動を開放部の底面に設けたレールや戸溝によって案内する場合、特に戸溝で案内する場合には、戸溝内にゴミが溜まるなどして扉体を円滑に横移動できなくなるという問題があった。
【０００４】
本発明は、上記事情を鑑み、扉体を案内しながら好適に横移動させることができる横引きゲートを提供することを目的とする。
【課題を解決するための手段】
【０００５】
上記の目的を達するために、この発明は以下の手段を提供している。
【０００６】
本発明の横引きゲートは、扉体を横移動させてゲートの開閉を行なう横引きゲートにおいて、前記ゲートの開放時に前記扉体を格納する凹部を備えた一方の戸当りが前記ゲートの開放部を挟んで一方の側に設けられ、前記ゲートの閉鎖時に前記一方の戸当りから横移動して出渠した前記扉体の先端部が係合する凹部を備えた他方の戸当りが前記ゲートの開放部を挟んで他方の側に設けられており、前記両戸当りのうち少なくとも前記一方の戸当りには、前記扉体に当接してこれを支持するとともに、前記扉体を案内して横移動させる複数のローラー部材が設けられていることを特徴とする。
【０００７】
この発明においては、戸当りに設けたローラー部材によって、扉体を支持し、案内しながら横移動させることができる。
【０００８】
また、本発明の横引きゲートにおいて、前記両戸当りのうち少なくとも前記一方の戸当りには、前記ゲートの閉鎖時に水圧が作用する側に位置して前記凹部を形成する内面に、該内面に対向する前記扉体の一面に当接するように付勢されて前記扉体との隙間を埋める水密部材が設けられていることが望ましい。
【０００９】
この発明においては、戸当りの水圧作用側の内面に水密部材を設けることによって、ゲートの閉鎖時に、この戸当りの内面と扉体の一面との隙間を通じて遮断した水が漏洩することを確実に防止できる。
【００１０】
また、従来は、扉体の一面に水密ゴム（水密部材）を取付け、この水密ゴムを戸当りの内面に当接させるように設けることによって、前記隙間の水密性を確保するようにしていたが、このような構成を本発明に係る横引きゲートに適用した場合には、扉体と一緒に水密ゴムが横移動して、扉体を案内するローラー部材に接触するという不都合が生じる。これに対し、本発明では、水密部材を扉体ではなく戸当りに設けられているため、移動する扉体に対して水密部材が固定され、このような水密部材で前記隙間の水密性を確保することができ、好適にローラー部材で扉体を案内することができる。
【発明の効果】
【００１１】
本発明の横引きゲートによれば、戸当りに設けたローラー部材によって、扉体を支持し、案内しながら横移動させることができるため、従来のレールや戸溝のように扉体を横移動できなくなるおそれがなく、常時好適に扉体を横移動させることが可能になる。
【発明を実施するための最良の形態】
【００１２】
以下、図１から図５を参照し、本発明の一実施形態に係る横引きゲートについて説明する。本実施形態は、扉体の横移動によりゲートの閉鎖と開放（開閉）を行う横引きゲートに関し、特に扉体を案内しながら好適に横移動させることができる横引きゲートに関するものである。
【００１３】
本実施形態の横引きゲートＡは、図１及び図２に示すように、略矩形盤状で箱状の扉体１と、ゲートの開放部Ｓの両側Ｓ１、Ｓ２にそれぞれ、すなわち開放部Ｓを挟んで一方の側Ｓ１と他方の側Ｓ２にそれぞれ設けられた一対の戸当り２、３とを備えて構成されている。なお、図１及び図２は、扉体１によって開放部Ｓを閉鎖した状態を示している。
【００１４】
扉体１は、図１から図３に示すように、上下方向及び水平方向（横方向）Ｔに所定の間隔をあけて配置されて一体に連結された補剛部材４と、補剛部材４の間を埋めるように設けられ、扉体１の一面１ａ及び他面１ｂを形成するスキンプレート５とを備えて構成されている。
【００１５】
また、本実施形態においては、扉体１の下端（下面１ｃ）側の内部に、扉体１の厚さｄ１方向に回転軸線を備えた一対の車輪（偏心式ローラー）６が設けられている。これら一対の車輪３は、扉体１の水平方向Ｔの先端１ｄ側と後端１ｅ側にそれぞれ配置され、作業者がハンドル７を回動操作することにより偏心し、扉体１の下面１ｃから下方に出没可能に設けられている。すなわち、ハンドル７を一方向に回動させた場合には、車輪６の下端側が扉体１の下面１ｃから下方に突出して開放部Ｓの底面Ｓ３に接し、扉体１を車輪６の回転によって水平方向Ｔに横移動させることができる。一方、ハンドル６を他方向に回動させた場合には、車輪６が扉体１の下面１ｃから内側（上方）に退き、これとともに、扉体１の下面１ｃが開放部Ｓの底面Ｓ３に接地される。なお、それぞれのハンドル７を連動して回動させるように構成したり、作業者による手動操作ではなく自動でハンドル７が回動するように構成して、一対の車輪６を出没するようにしてもよい。
【００１６】
このとき、扉体１の下面１ｃには水密ゴム（底面水密部材）８が取り付けられており、この水密ゴム８が扉体１の自重によって開放部Ｓの底面Ｓ３に密着することで、扉体１の下面１ｃと開放部Ｓの底面Ｓ３の間の水密性が確保される。また、図１、図２及び図２の扉体１の先端１ｄ側を拡大した図５に示すように、扉体１の先端１ｄの一面１ａ側には、水平方向Ｔ外側に突出し、断面略矩形状で中空状の先端水密ゴム（先端水密部材）９が取り付けられている。また、この先端水密ゴム９は、突出方向先端の一面１ａ側が後端から先端に向かうに従い漸次扉体１の他面１ｂ側に向かうテーパー面９ａを備えて形成されている。
【００１７】
さらに、扉体１には、図１及び図２に示すように、最下方の補剛部材（４ａ）に上下に貫通する貫通孔１０が形成され、開放部Ｓを閉鎖する所定位置に扉体１が配置された状態（すなわち図１及び図２に示した状態）で、この貫通孔１０は、開放部Ｓの底面Ｓ３に形成されゴミや砂などが入らないようにスポンジゴムを挿入した係止孔１１と連通するように形成されている。そして、連通した貫通孔１０と係止孔１１に落とし棒１２が挿入されることにより、開放部Ｓを閉鎖した扉体１の横移動が規制され、所定位置で保持される。なお、このような貫通孔１０や係止孔１１は、複数設けられてもよい。
【００１８】
一対の戸当り２、３は、図１及び図２に示すように、一方の側Ｓ１に設けられた一方の戸当り２が、開放部Ｓの開放時（ゲートの開放時）に扉体１を格納する凹部２ａを備えた断面コ字状の格納ドックとされ、他方の側Ｓ２に設けられた他方の戸当り３が、開放部Ｓの閉鎖時（ゲートの閉鎖時）に扉体１の先端１ｄ側が係合し、扉体１の後端１ｅ側が配された格納ドック２とともに扉体１を支持する凹部３ａを備えた断面コ字状の係止戸当りとされている。
【００１９】
また、格納ドック２には、図１、図２及び図２の格納ドック２（扉体１の後端１ｅ側）を拡大した図４に示すように、開放部Ｓ側（係止戸当り３側）の先端２ｂ側に、複数のローラー部材２０が設けられている。これら複数のローラー部材２０は、凹部２ａを挟んで（扉体１を挟んで）開放部Ｓの上流側（水圧が作用する側）Ｓ４と下流側Ｓ５とにそれぞれ４つずつ設けられている。また、上流側Ｓ４と下流側Ｓ５の４つずつのローラー部材２０は、それぞれ、扉体１の上端（上面１ｆ）側と下端（下面１ｃ）側に２つずつ水平方向Ｔに２段で設けられ、且つ水平方向Ｔ先端２ｂ側と後端２ｃ側に所定の間隔をあけて上下方向に２列で配置されている。そして、このように配置された各ローラー部材２０は、格納ドック２に固定して支持された回転軸の上下方向に延びる軸線回りに回転可能に設けられている。また、各ローラー部材２０は、凹部２ａを形成する内面２ｄ、２ｅから一部のローラー面を凹部２ａ内に突出させるように配置され、この突出したローラー面が、上流側Ｓ４のローラー部材２０においては扉体１の一面１ａに、下流側Ｓ５のローラー部材２０においては扉体１の他面１ｂにそれぞれ当接されている。これにより、扉体１が支持されている。
【００２０】
さらに、本実施形態の格納ドック２には、図２及び図４に示すように、上流側Ｓ４の内面２ｄに上下方向に延設された板状の水密ゴム（水密部材）２１が取り付けられている。この水密ゴム２１は、格納ドック２の後端２ｃ側の端部を内面２ｄに固定して設けられている。また、内面２ｂと水密ゴム２１の間に介装部材２２が介装されていることによって、先端２ｂ側の端部側が弾性変形して扉体１の一面１ａに向けて屈曲させられている。そして、このように介装部材２２によって屈曲した部分が、扉体１の一面１ａに付勢されて当接しており、これにより、扉体１の一面１ａと内面２ｂとの隙間が埋められてこの隙間部分の水密性が確保されている。
【００２１】
一方、係止戸当り３には、図１、図２及び図５に示すように、開放部Ｓ側（格納ドック２側）の先端３ｂ側に、複数のローラー部材２３が設けられている。これら複数のローラー部材２３は、凹部３ａを挟んで（扉体１を挟んで）開放部Ｓの上流側Ｓ４と下流側Ｓ５とにそれぞれ２つずつ設けられている。また、上流側Ｓ４と下流側Ｓ５の２つずつのローラー部材２３は、扉体１の上端（上面１ｆ）側と下端（下面１ｃ）側にそれぞれ設けられ、上下方向に並んで配置されている。そして、各ローラー部材２３は、係止戸当り３に固定して支持された回転軸の上下方向に延びる軸線回りに回転可能に設けられている。また、各ローラー部材２３は、格納ドック２のローラー部材２０を同様に、凹部３ａを形成する内面３ｃ、３ｄから一部のローラー面を凹部３ａ内に突出させるように配置されている。そして、扉体１が先端１ｄ側を係止戸当り３に係合させた状態で、この突出したローラー面が、上流側Ｓ４のローラー部材２３においては扉体１の一面１ａに、下流側Ｓ５のローラー部材２３においては扉体１の他面１ｂにそれぞれ当接されている。これにより、係止戸当り３に係合した扉体１の先端１ｄ側が支持される。
【００２２】
また、本実施形態の係止戸当り３には、上流側Ｓ４の内面３ｃのローラー部材２３よりも後端３ｅ側に、上下方向に延設された板状の水密ゴム（水密部材）２４が取り付けられている。この水密ゴム２４は、格納ドック２の水密ゴム２１と同様に、係止戸当り３の後端３ｅ側の端部を上流側Ｓ４の内面３ｃに固定して設けられ、内面３ｃと水密ゴム２４の間に介装された介装部材２５によって、先端３ｂ側の端部側が弾性変形して扉体１の一面１ａに向けて屈曲させられている。これにより、水密部材２４が、扉体１の一面１ａに付勢されて当接し、扉体１の一面１ａと内面３ｃとの隙間を埋めてこの隙間部分の水密性を確保している。
【００２３】
さらに、係止戸当り３には、図５に示すように、扉体１を係合させて所定の開放部閉鎖位置に配置した状態で、扉体１の先端１ｄに当接して位置決めするためのストッパー２６が、凹部３ａの底面３ｆから凹部３ａ内に突設されている。そして、このようなストッパー２６で扉体１の位置決めした状態で、扉体１の先端１ｄに取り付けられた先端水密ゴム９の先端が凹部３ａの底面３ｆに当接してこの部分の水密性が確保される。
【００２４】
ついで、上記の構成からなる横引きゲートＡの作用及び効果について説明する。
【００２５】
格納ドック２に格納された状態の扉体１を横移動して開放部Ｓを閉鎖する際には、はじめに、扉体１のハンドル７を一方向に回動して車輪６を扉体１の下面１ｃから下方に突出させて開放部Ｓの底面Ｓ３（格納ドック２の底面）に当接させる。このとき、車輪６の突出とともに扉体１が上方に持ち上がって下面１ｃが格納ドック２の底面から離間される。
【００２６】
そして、この扉体１を格納ドック２から引き出すようにすると、車輪６が開放部Ｓの底面Ｓ３上を走行するように回転し、円滑に扉体１が横移動する。このとき、従来の横引きゲートのように開放部Ｓの底面Ｓ３に戸溝が設けられていないため、扉体１が係止戸当り３に向けて真っ直ぐに横移動できないおそれがあるが、本実施形態においては、格納ドック３の上流側Ｓ４と下流側Ｓ５に複数設けられたローラー部材２０が扉体１の一面１ａと他面１ｂに当接し、これらローラー部材２０が軸線回りに回転しながら扉体１を支持している。このため、格納ドック２から横移動させて出渠する扉体１は、その出渠方向を確実に係止戸当り３に向けて案内されながら真っ直ぐに引き出される。
【００２７】
ここで、従来の横引きゲートにおいては、扉体１の一面１ａに水密ゴムを取付け、この水密ゴムを戸当り（格納ドック２）の内面２ｄに当接させるように設けることによって、この部分の隙間の水密性を確保するようにしていた。すなわち、従来の横引きゲートにおいては、扉体１を横移動するとともに水密ゴムも横移動することになり、このような構成を本実施形態の横引きゲートＡに適用した場合には、扉体１を支持して案内するローラー部材２０に水密ゴムが接触して、好適に扉体１を横移動することができず、また水密ゴムに損傷が生じてしまう。このため、本実施形態では、水密ゴム２１を扉体１ではなく格納ドック２に取り付けており、このように構成することで、移動する扉体１に対して水密ゴム２１が固定して設けられ、隙間の水密性を確保することができるとともに、好適にローラー部材２０で扉体１を案内することができる。
【００２８】
そして、このように好適に案内されて出渠した扉体１の先端１ｄ側（先端部）が、係止戸当り３の凹部３ａに挿入されるとともに、係止戸当り３のローラー部材２３が扉体１の一面１ａと他面１ｂにそれぞれ当接して回転しながら扉体１を支持する。そして、ローラー部材２３で支持された扉体１の先端１ｄがストッパー２６に当接して水平方向Ｔの位置決めがなされる。このとき、扉体１の先端１ｄに取り付けた先端水密ゴム９にテーパー面９ａが形成されていることで、上流側Ｓ４の内面３ｃに取り付けた水密ゴム２４が好適に扉体１の一面１ａに付勢されつつ当接するように導かれ、先端水密ゴム９が凹部３ａの底面３ｆに押圧された段階で、上流側Ｓ４の内面３ｃ及び凹部３ａの底面３ｆと、扉体１とのそれぞれの隙間部分の水密性が確保される。そして、このように扉体１を配置した段階で、扉体１のハンドル６を他方向に回動して車輪６を扉体１の下面１ｃから内部に退避（上方に退避）させる。これに伴い、扉体１が自重によって下方に移動し、下面１ｃに取り付けた底面水密ゴム８が開放部Ｓの底面Ｓ３に当接しこの部分の水密性が確保される。最後に、扉体１の貫通孔１０及び開放部Ｓの底面Ｓ３の係止孔１１に落とし棒１２を挿通させる。これにより、後端１ｅ側を格納ドック２に、先端１ｄ側を係止戸当り３に支持された扉体１によって開放部Ｓが閉鎖される。
【００２９】
一方、このように配置した扉体１には、開放部Ｓの上流側Ｓ４から水圧が作用し、扉体１が下流側Ｓ５に押圧される。これにより、扉体１の一面１ａの先端１ｄ側と後端１ｅ側と、これら先端１ｄ側と後端１ｅ側を支持する格納ドック２と係止戸当り３のそれぞれの上流側Ｓ４の内面２ｄ、３ｃとの間の隙間が大きくなる。これに対し、本実施形態では、格納ドック２と係止戸当り３のそれぞれの内面２ｄ、３ｃに設けられた水密ゴム２１、２４が、扉体１の一面１ａに向けて付勢されているため、水圧の作用によって隙間が拡大した場合においても、これら水密ゴム２１、２４が確実に扉体１の一面１ａに密着し、この部分の水密性が確保される。これにより、閉鎖した開放部Ｓの水が、扉体１と格納ドック２及び係止戸当り３の隙間を通じて下流側Ｓ５に漏れ出すことがない。
【００３０】
したがって、本実施形態の横引きゲートによれば、格納ドック２及び係止戸当り３に設けたローラー部材２０、２３によって、扉体１を支持し、且つこれらで案内しながら扉体１を横移動させることができるため、従来のレールや戸溝のように扉体１を横移動できなくなるおそれがなく、常時好適に扉体１を横移動させることが可能になる。
【００３１】
また、水密ゴム２１、２４を扉体１ではなく格納ドック２及び係止戸当り３に設けることによって、隙間の水密性を確保しつつ好適にローラー部材２０、２３で扉体１を案内することが可能になる。
【００３２】
なお、本発明は、上記の一実施形態に限定されるものではなく、その趣旨を逸脱しない範囲で適宜変更可能である。例えば、本実施形態では、格納ドック（一方の戸当り）２に８つ、係止戸当り（他方の戸当り）３に４つのローラー部材２０、２３が設けられているものとしたが、扉体１を支持して案内しながら横移動させることができれば、各戸当り２、３に設けるローラー部材２０、２３の数や配置を限定する必要はなく、また、一方の戸当り２にのみローラー部材２０が設けられていてもよい。
【図面の簡単な説明】
【００３３】
【図１】本発明の一実施形態に係る横引きゲートを示す正断面図である。
【図２】図１のＸ１−Ｘ１線矢視図である。
【図３】図１のＸ２−Ｘ２線矢視図である。
【図４】図２に示した格納ドック（一方の戸当り）を拡大した図である。
【図５】図２に示した係止戸当り（他方の戸当り）を拡大した図である。
【符号の説明】
【００３４】
１      扉体
１ａ    一面
１ｂ    他面
２      格納ドック（一方の戸当り）
２ａ    凹部
２ｄ    内面
２ｅ    内面
３      係止戸当り（他方の戸当り）
３ａ    凹部
３ｃ    内面
３ｄ    内面
２０    ローラー部材
２１    水密ゴム（水密部材）
２３    ローラー部材
２４    水密ゴム（水密部材）
Ａ      横引きゲート
Ｓ      開放部
Ｓ１    一方の側
Ｓ２    他方の側
Ｓ３    底面
Ｓ４    上流側（水圧が作用する側）
Ｓ５    下流側
【図１】
2008150895.tif 000003
【図２】
2008150895.tif 000004
【図３】
2008150895.tif 000005
【図４】
2008150895.tif 000006
【図５】
2008150895.tif 000007